(57)【要約】【課題】利用者が手に持ってバイブレーションメータを振動機構に接触したとしても精度よく振動機構の振動測定することを可能にする。【解決手段】バイブレーションメータは、加速度計のようなバイブレーションセンサーを有し、それを回転機械のような振動機構に接触して振動機構の振動を測定する。バイブレーションメータは、ゴム製の除振装置を有して、利用者の手の振動による振動の周波数を取り除いている。バイブレーションセンサーと振動機構の間の接触力がロードセルのような力センサーによって測定される。バイブレーションセンサーの感度が接触力の関数であるので、振動振幅の測定が既知の接触力に関連して調整される。【選択図】図３Ａ
2014178318.tif 000002
【特許請求の範囲】
【請求項１】
ハウジングと、
振動を電気信号に変換するように構成されたバイブレーションセンサーであって、ハウジング内にその少なくとも一部が含まれているバイブレーションセンサーと、
該バイブレーションセンサーに接触した除振装置とからなり、
該除振装置が振動の一又はそれ以上の周波数を濾過するように構成された携帯バイブレーションメータ。
【請求項２】
更に、バイブレーションセンサーに加えられた接触力に応答する力センサーからなる前記請求項１に記載の携帯バイブレーションメータ。
【請求項３】
力センサーがバイブレーションセンサーにほぼ面する第１の側面と、その第１の側面から離れて第１の側面に面する第２の側面を有し、
更に、接触力を力センサーに伝達するように構成されたプランジャーであって、力センサーの第２の側面にあるプランジャーと、
力センサーの第１の側面にあるパッドとからなる前記請求項２に記載の携帯バイブレーションメータ。
【請求項４】
除振装置がバイブレーションセンサーの前側の第１の除振装置であり、更に、バイブレーションセンサーの後側の第２の除振装置を有する前記請求項１に記載の携帯バイブレーションメータ。
【請求項５】
更に、バイブレーションセンサーの応答と力センサーの応答の組み合わせから調節されたバイブレーションセンサーの応答を決定する手段からなる前記請求項２に記載の携帯バイブレーションメータ。
【請求項６】
バイブレーションセンサーの応答と調節されたバイブレーションセンサーの応答のうちの少なくとも一つが線形化される前記請求項５に記載の携帯バイブレーションメータ。
【請求項７】
ハウジングと、
振動を電気信号に変換するように構成されたバイブレーションセンサーであって、ハウジング内にその少なくとも一部が含まれているバイブレーションセンサーと、
該バイブレーションセンサーに接触した除振装置であって、振動の一又はそれ以上の周波数を濾過するように構成された除振装置と、
前記バイブレーションセンサーに加えられた接触力に応答する力センサーからなる携帯バイブレーションメータ。
【請求項８】
前記除振装置がバイブレーションセンサーの前側の第１の除振装置であり、
更に、バイブレーションセンサーの後側に第２の除振装置を有する前記請求項７に記載の携帯バイブレーションメータ。
【請求項９】
バイブレーションメータを用いて振動機構のバイブレーションを測定する方法であって、該方法が、
バイブレーションセンサーにより振動機構のバイブレーションを感知することと、
バイブレーションセンサーによりバイブレーションセンサーの応答を生成することと、
バイブレーションセンサーと振動機構の間の接触力を測定することと、
該接触力に基づいてバイブレーションセンサーの応答を調整して調整されたバイブレーションセンサーの応答を発生することからなる方法。
【請求項１０】
更に、バイブレーションセンサーの応答を線形化して線形化された周波数応答を発生することからなる前記請求項９に記載の振動機構のバイブレーションを測定する方法。
【請求項１１】
更に、調整されたバイブレーションセンサーの応答に基づいて振動の振幅を決定することからなる前記請求項１０に記載の振動機構のバイブレーションを測定する方法。
【請求項１２】
更に、調整されたバイブレーションセンサーの応答に基づいて振動の周波数を決定することからなる前記請求項９に記載の振動機構のバイブレーションを測定する方法。
【請求項１３】
更に、バイブレーションセンサーに接触した除振装置を用いて振動の一又はそれ以上の周波数を濾過することからなる前記請求項９に記載の振動機構のバイブレーションを測定する方法。
【発明の詳細な説明】
【技術分野】
【０００１】
本発明は、一般的には、バイブレーションメータ及びそれに関連する振動を測定する方法に関する。
【背景技術】
【０００２】
振動は機械装置を設計したり、試験したり、保守するときに重要な要件となることがある。たとえば、相当大きな振動により、機械装置が不十分な設計であること、又は、妨害されて停止してしまうことを示すことがある。振動機構の予測しない周波数ピークの存在がサブアセンブリの固有振動数の間で非線形相互作用を示すことがあり、それは機械装置の早期損傷の原因となることがある。ある種の場合においては、振動振幅の増加を検出したときが機器メンテナンス及び／又はサービスを開始するきっかけとなる。
【０００３】
振動検出は、一又はそれ以上の加速度計又は他のバイブレーションセンサーを回転機械又は他の振動機構に付着することによって現場においてたびたび行われている。バイブレーションセンサーは出力信号を生成して、振動の振幅と周波数を決定するために用いられる。バイブレーションセンサーと振動機構の間の接触が、バイブレーションセンサー（たとえば、加速度計）を回転装置にきっちりと付着することにより改善されうることが知られている。一般的に、バイブレーションセンサーをきっちり付着することは、振動機構からセンサーへの振動伝達を改善する。しかし、そのようなバイブレーションセンサーのきっちりとした付着は、現場使用において好適である携帯バイブレーションメータの場合には不可能であるかもしれない、若しくは、少なくとも実際的ではないかもしれない。そうではなくて、携帯バイブレーションメータは、概して振動計測する現場で回転機械に接触して手に保持される。
【０００４】
図１は、従来のバイブレーションメータ１００を示している。作動時、バイブレーションメータ１００の先端部３が振動機構５に接触する。振動が先端部３を介してハウジング４内部の加速度計２に伝えられる。振動を受けた場合、加速度計２はワイヤ６を介してバイブレーションメータ１００内の電子部品に伝送されるべき出力信号を生成する。そして、バイブレーションメータ１００は加速度計からの信号に基づいて振動の振幅／周波数を決定する。出力（振動の振幅／周波数）がディスプレイ７を用いて表示される。
【先行技術文献】
【特許文献】
【０００５】
【特許文献１】特開２００９−２８１８０６号
【発明の概要】
【発明が解決しようとする課題】
【０００６】
しかしながら、そのような従来のバイブレーションメータは、そのメータと振動機構の間の接触の質の影響を受けやすかった。従って、携帯バイブレーションメータの場合、利用者の手の振動がバイブレーションメータに伝わり、バイブレーションセンサーに影響を及ぼし、バイブレーションメータの表示精度に問題が残る。
【０００７】
本発明の実施の形態は、先行技術のこれらの及び他の制約を解消する。
【課題を解決するための手段】
【０００８】
本発明の第１番目の基本理念は、ハウジングと、振動を電気信号に変換するように構成されたバイブレーションセンサーであって、ハウジング内に少なくともその一部が含まれているバイブレーションセンサーと、バイブレーションセンサーに接触した除振装置とからなり、除振装置が振動の一又はそれ以上の周波数を濾過するように構成された携帯バイブレーションメータである。
【０００９】
本発明の第２番目の基本理念は、本発明の第１番目の基本理念の携帯バイブレーションメータにおいて、更に、バイブレーションセンサーに加えられた接触力に応答する力センサーからなる携帯バイブレーションメータである。
【００１０】
本発明の第３番目の基本理念は、本発明の第２番目の基本理念の携帯バイブレーションメータにおいて、力センサーが感圧性電気抵抗器からなる携帯バイブレーションメータである。
【００１１】
本発明の第４番目の基本理念は、本発明の第２番目の基本理念の携帯バイブレーションメータにおいて、力センサーがバイブレーションセンサーにほぼ面する第１の側面と、その第１の側面から離れて第１の側面に面する第２の側面を有し、更に、接触力を力センサーに伝達するように構成されたプランジャーであって、力センサーの第２の側面にあるプランジャーと、力センサーの第１の側面にあるパッドとからなる携帯バイブレーションメータである。
【００１２】
本発明の第５番目の基本理念は、本発明の第１番目の基本理念の携帯バイブレーションメータにおいて、除振装置がバイブレーションセンサーの前側の第１の除振装置であり、更に、バイブレーションセンサーの後側に第２の除振装置を有する携帯バイブレーションメータである。
【００１３】
本発明の第６番目の基本理念は、本発明の第１番目の基本理念の携帯バイブレーションメータにおいて、除振装置がゴム製である携帯バイブレーションメータである。
【００１４】
本発明の第７番目の基本理念は、本発明の第２番目の基本理念の携帯バイブレーションメータにおいて、更に、バイブレーションセンサーの応答と力センサーの応答の組み合わせから調節されたバイブレーションセンサーの応答を決定する手段からなる携帯バイブレーションメータである。
【００１５】
本発明の第８番目の基本理念は、本発明の第７番目の基本理念の携帯バイブレーションメータにおいて、調節されたバイブレーションセンサーの応答を決定する手段が参照テーブルとプロセッサーとそれらの組み合わせとからなる携帯バイブレーションメータである。
【００１６】
本発明の第９番目の基本理念は、本発明の第７番目の基本理念の携帯バイブレーションメータにおいて、バイブレーションセンサーの応答と調節されたバイブレーションセンサーの応答のうちの少なくとも一つが線形化される携帯バイブレーションメータである。
【００１７】
本発明の第１０番目の基本理念は、ハウジングと、振動を電気信号に変換するように構成されたバイブレーションセンサーであって、ハウジング内にその少なくとも一部が含まれているバイブレーションセンサーと、バイブレーションセンサーに接触した除振装置であって、振動の一又はそれ以上の周波数を濾過するように構成された除振装置と、バイブレーションセンサーに加えられた接触力に応答する力センサーからなる携帯バイブレーションメータである。
【００１８】
本発明の第１１番目の基本理念は、本発明の第１０番目の基本理念の携帯バイブレーションメータにおいて、除振装置がバイブレーションセンサーの前側の第１の除振装置であり、更に、バイブレーションセンサーの後側に第２の除振装置を有する携帯バイブレーションメータである。
【００１９】
本発明の第１２番目の基本理念は、本発明の第１０番目の基本理念の携帯バイブレーションメータにおいて、力センサーが感圧性電気抵抗器からなる携帯バイブレーションメータである。
【００２０】
本発明の第１３番目の基本理念は、バイブレーションメータを用いて振動機構の振動を測定する方法であって、その方法がバイブレーションセンサーにより振動機構の振動を感知することと、バイブレーションセンサーによりバイブレーションセンサーの応答を生成することと、バイブレーションセンサーと振動機構の間の接触力を測定することと、接触力に基づいてバイブレーションセンサーの応答を調整して調整されたバイブレーションセンサーの応答を発生することからなる方法である。
【００２１】
本発明の第１４番目の基本理念は、本発明の第１３番目の基本理念の振動機構の振動を測定する方法において、更に、バイブレーションセンサーの応答を線形化して線形化された周波数応答を発生することからなる方法である。
【００２２】
本発明の第１５番目の基本理念は、本発明の第１４番目の基本理念の振動機構の振動を測定する方法において、更に、調整されたバイブレーションセンサーの応答に基づいて振動の振幅を決定することからなる方法である。
【００２３】
本発明の第１６番目の基本理念は、本発明の第１３番目の基本理念の振動機構の振動を測定する方法において、更に、調整されたバイブレーションセンサーの応答に基づいて振動の周波数を決定することからなる方法である。
【００２４】
本発明の第１７番目の基本理念は、本発明の第１３番目の基本理念の振動機構の振動を測定する方法において、更に、振動機構にバイブレーションメータを接触することからなる方法である。
【００２５】
本発明の第１８番目の基本理念は、本発明の第１３番目の基本理念の振動機構の振動を測定する方法において、更に、バイブレーションセンサーに接触した除振装置を用いて振動の一又はそれ以上の周波数を濾過することからなる方法である。
【００２６】
本発明の第１９番目の基本理念は、本発明の第１８番目の基本理念の振動機構の振動を測定する方法において、除振装置がバイブレーションセンサーの前側の第１の除振装置と、バイブレーションセンサーの後側の第２の除振装置からなる方法である。
【００２７】
本発明の第２０番目の基本理念は、本発明の第１３番目の基本理念の振動機構の振動を測定する方法において、バイブレーションセンサーと振動機構の間の接触力を測定することが力センサーによって行われる方法である。
【発明の効果】
【００２８】
利用者は、携帯バイブレーションメータを手に持ってバイブレーションメータを振動機構に接触して振動機構の振動を測定する。そのときに、利用者の手の振動による周波数が濾過されて除振装置によってバイブレーションメータに利用者の手の振動が伝わることが阻止されるので、本願発明に係わるバイブレーションメータはその表示精度が向上する。また、本願発明に係わるバイブレーションメータは、バイブレーションセンサーと振動機構の間の接触力を計測する力センサーを含むことができ、その振動の表示（たとえば、振幅と周波数）の精度を調整することができる。
更に、本願発明に係わる振動機構の振動を測定する方法は、バイブレーションセンサーと振動機構の間の接触力を測定して、その接触力に基づいてバイブレーションセンサーの応答を調整して、振動の表示（たとえば、振幅と周波数）の精度を調整することができる。
【００２９】
本開示事項の多くのアスペクトは以下の図に関連してよりよく理解可能となる。各図面における各構成要素は必ずしも現実の要素をスケールしたものではなく、説明のために現実のものとは異なっている場合もあり得る。また、本開示事項の原理原則を明瞭に図示するときには強調が行われている。更に、図面においては、同じ参照番号がいくつかの図において共通する部品を示している。
【図面の簡単な説明】
【００３０】
【図１】図１は、先行技術に関する携帯バイブレーションメータの平面図である。
【図２】図２は、本願発明の実施に形態に関する携帯バイブレーションメータの平面図である。
【図３Ａ】図３Ａは、本願発明の実施に形態に関する携帯バイブレーションメータの分解斜視図である。
【図３Ｂ】図３Ｂは、本願発明の実施に形態に関する力センサー組み立て体の等角図である。
【図４】図４は、周波数の関数としてのバイブレーションセンサーの感度のグラフである。
【図５】図５は、本願発明の実施に形態に関するバイブレーションセンサー出力の線形化の略図である。
【発明を実施するための形態】
【００３１】
代表的なバイブレーションメータとそれに関連する振動測定方法のいくつかの実施の形態の特別な細部が以下に記載されている。本発明のいくつかの実施の形態において、バイブレーションメータは、振動機構（たとえば回転機械）に接触してその振動機構の振動を計測する携帯機器である。バイブレーションメータは、また、バイブレーションセンサーと振動機構の間の力を計測する力センサーを含むことができる。この力の計測は、バイブレーションの表示（たとえば、振幅と周波数）の精度を改善するために用いられうる。なぜならば、バイブレーションセンサーの出力がバイブレーションメータと振動機構の間の接触力の強度と共に一般的に変動するからである。従って、ある種の実施の形態においては、バイブレーションセンサー出力が接触力の読みと組み合わされて、利用者からそれ以上入力することなく接触力を自動的に考慮に入れた調節された出力を生成することが可能である。更に、一又はそれ以上の除振装置がバイブレーションセンサーに接続されて、操作者の手の不安定さ、若しくは、震えによって生み出される、濾過されないとバイブレーションセンサー出力において低周波数の振動として現れるノイズを濾過することができる。いわゆる当業者は、また、本発明が他の実施の形態を有することがあり、そして、本発明が、図２乃至５に関連して以下に記載の実施の形態の詳細のいくつかがなくとも実施可能であることを理解する。
【００３２】
図２は、本発明の実施の形態に関するバイブレーションメータ２００を図示している。バイブレーションメータ２００は、成型されたプラスティック又はその他の適切な材料製のハウジング７０を有する。作動時、バイブレーションメータ２００は振動機構５に対して手持ちであり、バイブレーションセンサー１０が振動機構５に接触する。本発明の他の実施の形態においては、バイブレーションセンサーは、振動機構からバイブレーションセンサーに振動を伝達する、図示しない介在物を介して振動機構５に接触することもできる。バイブレーションセンサー１０は、ゴム加工された成型プラスティック又は金属若しくは織物、又は他の適切な材料製のジャケット２５によって機械的損傷又は環境的なダメージから保護されることが可能である。ある実施の形態においては、バイブレーションセンサー１０は、バイブレーションセンサー１０の残りの部分よりも堅い先端１１ａを有し、バイブレーションセンサー１０と振動機構５の間の接触をよくすることもある。当業者であれば、たとえば、加速度計を含むバイブレーションセンサーの多くの例を知っている。バイブレーションセンサー１０は、ハウジング７０内の（図２において図示されていない）信号処理電子機器に接続されている。信号処理電子機器は、バイブレーションセンサー１０からの出力に基づいて振動の振幅と周波数を決定することが可能である。たとえば、振動の振幅は、（たとえば、加速度計である）バイブレーションセンサー１０からの信号を２回積分することで決定されうる。当業者であれば、バイブレーションセンサー信号を数値的又は電子的に積分して被測定振動機構の対応する変位を決定する多くの方法を知っている。コマンドボタン８０とディスプレイ９０は、振動機構５に対応する振動の振幅と周波数を選択及び表示するために用いられうる。図３Ａから図５に関連して以下に詳細に説明されるように、低周波数ノイズがバイブレーションセンサー１０から濾過されうる。更に、低周波数ノイズからの信号がより正確な振動表示を生成するために、力センサーからの信号に関連して処理されうる。
【００３３】
図３Ａは、本発明の実施の形態に関連して構成されたバイブレーションメータ２００の分解された状態を図示している。同図右上端から、バイブレーションセンサージャケット２５が、バイブレーションセンサー１０を機械的損傷又は環境的なダメージから保護するためにバイブレーションセンサー１０を部分的に収容することが可能である。更に、少なくともある実施の形態においては、バイブレーションセンサー１０は、除振装置１６，２０に少なくともその一部が接続されている。従来の携帯バイブレーションメータに関しては、操作者の手の振動がバイブレーションセンサー１０に伝わることがあり、それが振動機構自体によって起こる振動として誤って解釈されることがある。操作者の手の振動は、一般的に、低周波数レンジ（たとえば、約５０Ｈｚ以下）内にある。本発明の少なくともある実施の形態においては、除振装置１６、２０は、これらの低周波数振動がバイブレーションセンサー１０に到達する前に、これらの低周波数振動を濾過することを可能にする。除振装置１６、２０は、ゴム状物質又は問題の周波数に対してバイブレーションセンサー１０の振動を減衰する他の物質で出来ている。たとえば、ゴム状物質は、その既知の周波数減衰特性に基づいて選択されうる。除振装置１６、２０は、バイブレーションセンサー１０とより確実に係合するために、それぞれリップ部１７、２１を有することが可能である。バイブレーションセンサー１０からの出力信号は、ケーブル１１を介してインタフェースボード６１に、更に、図示しない信号処理電子機器に伝送されうる。
【００３４】
バイブレーションメータ２００は、また、力センサー３０を有することが可能である。バイブレーションメータ２００が振動機構（図示せず）に対して押圧されたときに、以下に図３Ｂに関連してより詳細に説明されるように、接触力がバイブレーションセンサー１０から力センサー３０に伝えられる。力センサー３０は、力センサー３０を適当なところに保持するために、たとえば、ロードボス６５とロードビーム５５とロードビーム張り５０の組み合わせのような構造物によって支持可能である。スクリュー７０が螺子受け孔２６と係合してバイブレーションメータ２００の各パーツを接触状態に維持することを可能にする。
【００３５】
図３Ｂは、パッド４５とプランジャー４０の間に配置された力センサー３０の等角図を示す。当業者であれば、たとえば、ロードセルやフィルム抵抗力センサーのような市販の多くの力センサーを知っている。ほぼ平坦な第１の面４１を有するプランジャー４０は、バイブレーションセンサー１０からの接触力をプランジャー４０とパッド４５の間で挟持された力センサー３０に伝達することが可能である。ある実施の形態においては、力センサー３０は、その出力を感度範囲内に前もって調整するように前もって加重が掛けられている。この前持って掛けられた加重は、たとえば、プランジャー４０を力センサー３０に対して押圧することによって達成可能となるが、力センサー３０は反対側で可撓性パッド４５によって支持されている。負荷が加わったとき、力センサー３０はその電気抵抗が変化する。力の変化に対応したこの抵抗変化は、コネクタ３５を介して測定されうる。図４に関連して以下に説明されるように、振動機構５とバイブレーションセンサー１０の間の接触力の値に基づいて、振動振幅の測定が改善されうる。
【００３６】
図４は、バイブレーションセンサー１０の周波数特性のグラフである。グラフの水平軸は対数目盛で周波数領域を示している。左側の垂直軸は、ｄＢで示されたバイブレーションセンサー１０の感度を示している。バイブレーションセンサー１０の感度は、たとえば、バイブレーションセンサー１０の出力において示される振幅と振動機構自体の振動振幅の比として解釈されうる。グラフ４００の対数目盛の０付近の感度は、線形目盛の約１の感度値に対応する。反対に、垂直軸の正の値は、より高感度を示し、垂直軸の負の値は、より低感度を示す。一般的に、バイブレーションセンサーの感度は、振動周波数の関数である。更に、バイブレーションセンサー１０の感度が既知である場合、適切な係数又は他の調整値が使用されて、特定の振動周波数における振動機構の関連する振動振幅を決定する。
【００３７】
右側の垂直軸は振動振幅を示している。通常、周波数の関数としてのバイブレーションセンサー１０の感度は、バイブレーションセンサーの製造者から得ることができるか、若しくは、経験的に決定されることが可能である。したがって、振動の振幅は、特定の振動周波数に関して逆算されうる。しかしながら、バイブレーションセンサー１０の感度がセンサーと振動機構の間の接触力の関数でもある場合、接触力を考慮しない振動振幅の測定は測定精度の低下につながることがある。たとえば、図４の曲線Ｆ１、Ｆ２、Ｆ３は、周波数領域に亘るが、しかし、異なる接触力を用いた振動振幅測定に対応することができる。当業者であれば、所定の振幅周波数に対して、加速度信号を２回積分しバイブレーションセンサーの既知の感度に基づいてその結果を調整することで振動振幅が算出されうることを知っている。
【００３８】
図示の例において、約１．４ｋＨｚの振動周波数に対して、バイブレーションセンサー１０は、バイブレーションセンサー１０と振動機構５の間の接触力の大きさに応じて、それぞれの感度曲線Ｆ１、Ｆ２、Ｆ３に対して振動振幅Ａ１、Ａ２又はＡ３を示す。より正確な振動振幅測定を得るために、接触力が測定されると共に用いられて、たとえば、Ｆ１、Ｆ２、Ｆ３のような適切な感度曲線を選択する。そして、振動機構５の振幅が適切な感度曲線から決定される。たとえば、（図３Ａと図３Ｂに関連して説明した）力センサー３０は、接触力を測定することができ、それが感度曲線Ｆ１、Ｆ２、Ｆ３のうちの適正な振動感度曲線を選択するために用いられる。少なくともある実施の形態においては、簡易な計算のために関連する振動周波数ごとの表形式で利用可能である。表形式の感度曲線は、力センサーの表示値に基づいて適切な電子機器を用いてアクセスされ、そして、更に、処理されて、たとえば、信号積分アルゴリズムを用いて振動振幅を算出しうる。 ある実施の形態においては、感度曲線は線形化回路を用いて線形化することが可能である。たとえば、感度曲線Ｆ１、Ｆ２、Ｆ３が線形化されて、それぞれ、線形感度曲線Ｌ１、Ｌ２、Ｌ３を生成する。少なくともある実施の形態においては、線形感度曲線は振動振幅計算を簡単及び／又は迅速にする。
【００３９】
図５は、本発明の実施の形態に関する線形化回路５００の略図である。（たとえば、図４に示された感度曲線Ｆ１、Ｆ２、Ｆ３である）非線形入力１１０は、関数発生器１２０に供給され、関数発生器１２０は減衰器１３０によって減衰される関数を出力する。次いで、非線形入力１１０と減衰器１３０の出力は加算増幅器１４０において加算されて、（たとえば、図４に示された線形感度曲線Ｌ１、Ｌ２、Ｌ３である）線形化された出力１５０を生成する。線形化された出力１５０は、振動振幅の簡易な決定のために用いられうる。多くの関数発生器と線形化回路が市販されている。たとえば、米国マサシュウセッツ州ノースウッドのアナログデバイス社製の関数発生器ＡＤ６４０、ＡＤ６３９、ＡＤ５３８と線形化回路ＡＤ７５６９である。
【００４０】
上記から、本発明の特定の実施の形態がここでは例示目的で記載されていることは明らかであるが、開示事項から逸脱することなく各種の変形例があり得ることも明らかである。たとえば、ある実施の形態においては、関数分析器が開示された技術発明に関連して用いられ、主周波数を決定するのに役立つこともある。他の実施の形態においては、バイブレーションセンサーの出力は、バイブレーションメータ外で行われることもありうる以後のデータ処理のためにアナログ−デジタル変換回路によって獲得されることもある。更に、バイブレーションメータは、振動機構のメイン周波数の望ましくない調波や低調波を排除するためのアナログ又はデジタルの周波数フィルタを含むこともある。また、ある実施の形態に関する各種の効果や特徴がそれらの実施の形態の背景において上記に説明されてきたけれども、他の実施の形態もそのような効果や特徴を示すことが可能であり、本願発明の技術範囲内にあるために必ずしもすべての実施の形態がそのような効果及び／又は特徴を示す必要はない。したがって、この開示事項は、ここに明確に示されていない若しくはここに明確に開示されていない他の実施の形態を含むものである。
【産業上の利用可能性】
【００４１】
本発明の実施の形態に係わる携帯バイブレーションメータ及びそれに関連する振動測定方法は、現場で回転機械などの振動機構の振動を測定するときに利用されうる。
【符号の説明】
【００４２】
１００…従来のバイブレーションメータ
２…加速度計
４…ハウジング
５…振動機構
７…ディスプレイ
２００…バイブレーションメータ
１０…バイブレーションセンサー
１６、２０…除振装置
２５…ジャケット
３０…力センサー
３５…コネクタ
４０…プランジャー
４５…パッド
５０…ロードビーム張り
５５…ロードビーム
６１…インタフェースボード
６５…ロードボス
７０…ハウジング
８０…コマンドボタン
９０…ディスプレイ
１２０…関数発生器
１３０…減衰器
１４０…加算増幅器
５００…線形化回路
【図１】
2014178318.tif 000003
【図２】
2014178318.tif 000004
【図３Ａ】
2014178318.tif 000005
【図３Ｂ】
2014178318.tif 000006
【図４】
2014178318.tif 000007
【図５】
2014178318.tif 000008